(57)【特許請求の範囲】
【請求項１】
回転可能な記録媒体に対向して配置され、該記録媒体を加熱昇温して記録層の保磁力を低下させ、この保磁力が低下した記録層に記録磁界を印加することにより、磁気的情報を記録可能な熱アシスト磁気ヘッドであって、
前記記録媒体に対向して配置されるスライダと、
このスライダの前記記録媒体との対向面に配置され、かつ前記記録媒体を加熱するための加熱手段から出射されたエネルギー線を前記記録媒体に向けて放出する放出部と、
前記スライダの前記対向面において前記放出部の中心部を通り該記録媒体の回転方向に沿った方向に関して対称な位置に配置され、かつ前記記録層に記録磁界を印加する複数の磁気記録素子と
を備えたことを特徴とする熱アシスト磁気ヘッド。
【請求項２】
前記スライダは、前記加熱手段を搭載してなることを特徴とする請求項１記載の熱アシスト磁気ヘッド。
【請求項３】
前記加熱手段は、発光素子であることを特徴とする請求項１または２のいずれか一項に記載の熱アシスト磁気ヘッド。
【請求項４】
前記放出部は光学的開口部であることを特徴とする請求項３記載の熱アシスト磁気ヘッド。
【請求項５】
前記スライダは、前記磁気記録素子により記録された磁気的情報を再生する磁気再生素子を搭載してなることを特徴とする請求項１記載の熱アシスト磁気ヘッド。
【請求項６】
前記磁気再生素子は、前記磁気記録素子に対応して前記放出部の中心部を通り前記記録媒体の回転方向に沿った方向に関して対称な位置に複数配置されることを特徴とする請求項５記載の熱アシスト磁気ヘッド。
【請求項７】
前記スライダは、前記記録媒体上に記録されているサーボ情報を再生するためのサーボ情報再生素子を搭載してなることを特徴とする請求項１記載の熱アシスト磁気ヘッド。
【請求項８】
前記サーボ情報再生素子は、前記放出部の中心部を通り前記記録媒体の回転方向に沿って該放出部に並んで配置されることを特徴とする請求項７記載の熱アシスト磁気ヘッド。
【請求項９】
記録媒体を加熱昇温して記録層の保磁力を低下させ、この保磁力が低下した記録層に記録磁界を印加することにより、磁気的情報を記録する熱アシスト磁気記録装置であって、
前記記録媒体を回転可能に保持する駆動手段と、
前記記録媒体を加熱するためのエネルギー線を出射する加熱手段と、
前記記録媒体に対向して配置されるスライダと、このスライダの前記記録媒体との対向面に配置され、かつ前記加熱手段から出射されたエネルギー線を前記記録媒体に向けて放出する放出部と、前記スライダの記録媒体対向面において前記放出部の中心部を通り該記録媒体の回転方向に沿った方向に関して対称な位置に配置され、かつ前記記録層に記録磁界を印加する複数の磁気記録素子とを備えた熱アシスト磁気ヘッドと、
この熱アシスト磁気ヘッドを前記記録媒体上の所定位置に位置決めするための位置決め手段と
を備えたことを特徴とする熱アシスト磁気記録装置。
【請求項１０】
前記加熱手段は、前記スライダに搭載されていることを特徴とする請求項９記載の熱アシスト磁気記録装置。
【請求項１１】
前記加熱手段は、発光素子であることを特徴とする請求項９または１０のいずれか一項に記載の熱アシスト磁気記録装置。
【請求項１２】
前記放出部は光学的開口部であることを特徴とする請求項１１記載の熱アシスト磁気記録装置。
【請求項１３】
前記熱アシスト磁気ヘッドは、前記磁気記録素子により記録された磁気的情報を再生する磁気再生素子を前記スライダに搭載してなることを特徴とする請求項９記載の熱アシスト磁気記録装置。
【請求項１４】
前記磁気再生素子は、前記磁気記録素子に対応して前記放出部の中心部を通り前記記録媒体の回転方向に沿った方向に関して対称な位置に複数配置されることを特徴とする請求項１３記載の熱アシスト磁気記録装置。
【請求項１５】
前記熱アシスト磁気ヘッドは、前記記録媒体上に記録されているサーボ情報を再生するためのサーボ情報再生素子を前記スライダに搭載してなることを特徴とする請求項９記載の熱アシスト磁気記録装置。
【請求項１６】
前記サーボ情報再生素子は、前記放出部の中心部を通り前記記録媒体の回転方向に沿って該放出部に並んで配置されることを特徴とする請求項１５記載の熱アシスト磁気記録装置。
【請求項１７】
ディスク状に形成され、同心円状もしくは螺旋状に設けられた複数の記録トラックを備えた記録媒体と、
この記録媒体を回転可能に保持する回転駆動手段と、
前記記録媒体の記録層の保磁力を低下させるべく該記録媒体を加熱昇温するためのエネルギー線を出射する加熱手段と、
前記記録媒体に対向して配置されるスライダと、このスライダの前記記録媒体との対向面に配置され、かつ前記加熱手段から出射されたエネルギー線を前記記録媒体に向けて放出する放出部と、前記スライダの記録媒体対向面において前記放出部の中心部を通り該記録媒体の回転方向に沿った方向に関して対称な位置に配置され、かつ保磁力が低下した前記記録層に記録磁界を印加する複数の磁気記録素子と、この磁気記録素子により記録された磁気的情報を再生するための複数の磁気再生素子とを備えた熱アシスト磁気ヘッドと、
この熱アシスト磁気ヘッドを前記記録媒体上の所定位置に位置決めするための位置決め手段と
を備えたことを特徴とする熱アシスト磁気記録装置。
【請求項１８】
前記位置決め手段は、前記記録媒体上に記録されているサーボ情報を、前記磁気再生素子の少なくとも一つにより再生して得られた信号に基づいて前記熱アシスト磁気ヘッドを該記録媒体上の所定位置に位置決めするものであることを特徴とする請求項１７記載の熱アシスト磁気記録装置。
【請求項１９】
前記熱アシスト磁気ヘッドは、前記記録媒体上に記録されているサーボ情報を再生するためのサーボ情報再生素子を前記スライダに搭載してなることを特徴とする請求項１５記載の熱アシスト磁気記録装置。
【請求項２０】
前記サーボ情報再生素子は、前記放出部の中心部を通り前記記録媒体の回転方向に沿って該放出部に並んで配置されることを特徴とする請求項１９記載の熱アシスト磁気記録装置。
【請求項２１】
前記位置決め手段は、前記記録媒体上に記録されているサーボ情報を、前記サーボ情報再生素子により再生して得られた信号に基づいて前記熱アシスト磁気ヘッドを該記録媒体上の所定位置に位置決めするものであることを特徴とする請求項１９または２０のいずれか一項に記載の熱アシスト磁気記録装置。
【発明の詳細な説明】
【０００１】
【発明の属する技術分野】
この発明は、記録媒体に対向して配置され、該記録媒体を加熱昇温して記録層の保磁力を低下させ、この保磁力が低下した記録層に記録磁界を印加することにより、磁気的情報を記録する熱アシスト磁気ヘッド及びこれを用いた熱アシスト磁気記録装置に関する。
【０００２】
【従来の技術】
近年、磁気記録方式を用いた磁気記録装置は、年率１００％近い驚異的なスピードで記録密度の高密度化を達成している。実際、１平方インチあたり１００Ｇビットの記録密度がここ２年ほどのうちに研究レベルで達成されそうな勢いで、商品化もさらに加速して行われるものと予測される。
【０００３】
しかし、一方でこの高密度化を妨げる要因もいくつか指摘されている。そのひとつは、記録媒体の熱擾乱耐性に関する問題であり、いま一つは、トラックピッチを狭くしたときのトラッキング方法に関する問題である。
【０００４】
はじめに、第１の問題点である媒体の熱擾乱耐性について説明する。
【０００５】
磁気記録の高密度化は、記録セルサイズの微細化により実現するが、記録セルの微細化により記録媒体からの信号磁界強度が減少するため、所定の信号対雑音比（Ｓ／Ｎ）を確保する上では、記録媒体ノイズの低減が必須となる。記録媒体ノイズの主因は、磁化転移部の乱れであり、乱れの大きさは記録媒体の磁化反転単位に比例する。磁気媒体には多結晶磁性粒子からなる薄膜（多粒子系薄膜）が用いられているが、この多粒子系薄膜の磁化反転単位は、粒子間に磁気的な交換相互作用が生じる場合、交換結合された複数の磁性粒子から構成される。
【０００６】
従来、例えば数１００Ｍｂｐｓｉから数Ｇｂｐｓｉの記録密度において、記録媒体の低ノイズ化は、主に磁性粒子間の交換相互作用を低減し磁化反転単位を小さくすることにより実現してきた。最新の１０Ｇｂｐｓｉ級の記録媒体における磁化反転単位は粒子２〜３個分にまで縮小されており、近い将来、磁化反転単位は磁性粒子１個に相当するまで縮小するものと予想される。
【０００７】
従って、今後さらに磁化反転単位を縮小して所定のＳ／Ｎを確保するためには、磁性粒子自身を小さくする必要がある。磁性粒子の体積をＶとおくと粒子の持つ磁気異方性エネルギーはＫｕＶで表される。ここで、Ｋｕは磁性粒子の磁気異方性エネルギー密度である。低ノイズ化のためにＶを小さくするとＫｕＶが小さくなり、室温付近の熱エネルギーによって記録情報が乱れるという熱擾乱問題が顕在化する。
【０００８】
Ｓｈａｌｌｏｋらの解析によれば、磁性粒子の磁気異方性エネルギーと熱エネルギー（ｋＴ：ｋはボルツマン定数、Ｔは絶対温度）の比、ＫｕＶ／ｋＴが１００程度の値でないと記録寿命の信頼性を損ねる。従来から記録媒体の記録層に用いられてきたＣｏＣｒ基合金のＫｕ（２〜３×１０６ｅｒｇ／ｃｃ）では、低ノイズ化のために磁性粒子の微細化を進めると熱擾乱耐性の確保が困難な状況になりつつある。
【０００９】
そこで、近年ＣｏＰｔ、ＦｅＰｄなど１０７ｅｒｇ／ｃｃ以上のＫｕを示す材料が注目を浴びてきているが、磁性粒子の微細化と熱擾乱耐性を両立するために単純にＫｕを上げると別の問題が顕在化する。それは記録感度の問題である。すなわち、記録媒体の記録層のＫｕを上げると記録媒体の保磁力Ｈｃ０（Ｈｃ０＝Ｋｕ／Ｉｓｂ、ここでＩｓｂは記録媒体の記録層の正味の磁化を表す）が上昇し、Ｈｃ０に比例して飽和記録に必要な磁界が増加する。
【００１０】
磁気ヘッドから発生し記録媒体に印加される記録磁界は記録コイルへの通電電流の他に、記録磁極材料、磁極形状、スペーシング、記録媒体の種類、膜厚等に依存するが、記録の高密度化に伴い記録磁極先端部のサイズが縮小することを考慮すると、発生磁界の大きさには限界がある。
【００１１】
例えば、最も発生磁界の大きな単磁極ヘッドと軟磁性裏打ち垂直記録媒体の組み合わせでも、記録磁界の大きさは高々１０ｋＯｅ程度が限界である。一方で将来の高密度・低ノイズ記録媒体に必要な５ｎｍ程度の磁性粒子の粒径で、十分な熱擾乱耐性を得る上では、１０７ｅｒｇ／ｃｃ以上のＫｕを示す材料を採用する必要があり、この場合、室温付近における記録媒体の記録に必要な磁界は１０ｋＯｅを軽く上回る。従って、通常の磁気ヘッドでは記録ができなくなる。即ち、単純に記録媒体のＫｕを増加させてしまうと、記録自体ができなくなるという問題が顕在化するのである。
【００１２】
この相反する命題を解決する手法として、近年注目されているのが、基本的には磁気異方性エネルギー密度Ｋｕの高い記録層を採用し、記録時には加熱して記録層の保磁力を低下させ、現存の磁気ヘッドの磁束での記録を可能とするいわゆる熱アシスト磁気記録技術（特開平２−３７５０１号公報参照）である。これは記録層自身のもつ磁気異方性エネルギーが、その温度の関数として変化することに着目したものである。この手法によれば、記録しない部分は熱擾乱の影響を受けない高い磁気異方性エネルギーを持つため、磁化反転単位が小さい場合でも高い信号品質を持ち、また記録する部分は加熱により磁気異方性エネルギーが下がるため既存の磁気ヘッドの記録磁束で記録が可能となる。
【００１３】
しかし、このような方式で問題となるのは加熱手段である。エネルギー密度的には有利な光を利用した方法などが提案されているが、光で加熱できるスポットの縮小化には限界がある。
【００１４】
一般に小さな加熱スポットを得る手段として、エバネッセント波などを用いて小さな光のスポットを形成する手段や、微小な光学的開口部を設けて光照射エリアを限定する方法などが提案されている。ＳＩＬ（Ｓｏｌｉｄ  Ｉｍｅｒｓｉｏｎ  Ｌｅｎｓ）などを用いて実効的なＮＡ（Ｎｕｍｅｒｉｃａｌ  Ａｐｅｒｔｕｒｅ）を１以上とし短波長のレーザを用いれば、そのスポット径は２００ｎｍ程度にまでなら小さくすることが可能である。しかし、光のスポットが２００ｎｍ程度でも記録可能な熱のスポットはそれより大きくなることがあり、高密度記録を行う磁気記録装置で必要とされる記録トラックのトラックピッチが１００ｎｍ程度以下であることから、隣接トラックを過度に加熱してしまうことが避けられない可能性がある。
【００１５】
一方、光学的開口部を用いた場合、基本的にはその照射エリアを小さくすることは可能であり、開口部の加工限界まで小さくすることができる。しかし、この方式の場合、開口部の透過効率が低くなることが予想され、十分な加熱を行うためには大出力の光源を用いなければならないなどの問題があった。
【００１６】
次に、第２の問題点である高精度トラッキング方法について説明する。現在の磁気記録装置におけるトラックピッチは１ミクロン程度であり、正確な信号を記録再生するためには、この約１０％にあたる０．１ミクロン程度の位置決め精度が必要とされる。記録媒体が高速に回転する磁気記録装置においては、その回転数が７０Ｈｚ程度であり、この周波数で発生する振動外乱を抑圧して上記位置決め精度を達成することが課題である。従来の磁気記録装置においては、この外乱が極力発生しないように設計されるのが一般的であり、制御系に必要なゲインもそれほど高くする必要がなかった。従って、現状の制御の帯域は高々５００Ｈｚ前後である。
【００１７】
しかし、昨今の高密度化の影響を受けて、許容される位置決め精度が厳しい値になってきている。１００Ｇｂｐｓｉ以上の記録密度においては、トラックピッチは数１００ｎｍ以下のオーダになり、位置決め精度も数１０ｎｍの値が必要となってくる。これに伴い、制御帯域は数ｋＨｚオーダを実現することが不可欠となっている。
【００１８】
この高帯域制御系を実現するひとつの手法は、サンプリングの周波数をあげることである。現状、磁気記録装置で採用されているサーボ情報の取得方法は、サンプルサーボ方式ないしはセクタサーボ方式と呼ばれ、データ面上にあらかじめ埋め込まれた磁気的サーボ情報を再生しながら、同時に記録再生すべき磁気信号を記録再生するものである。たとえば、ディスク一周あたり６０のセクタに分割され、各セクタに情報を記録再生する磁気記録装置では、各セクタの前部にサーボ情報の書き込まれたサーボセクタが存在する。ディスクが７０Ｈｚで回転する場合、このサーボセクタの情報を４．２ｋＨｚで読み取ることになり、これがサンプリング周波数となる。前記した制御帯域は、一般にこのサンプリング周波数の１／１０程度にしか上げることができない。すなわち、高帯域制御系を実現するには、サーボ情報のサンプリング周波数を上げる必要があるのである。数ｋＨｚ以上の制御帯域を実現するためには、数１０ｋＨｚのサンプリング周波数が不可欠である。
【００１９】
このように高帯域制御系を実現するために、サンプリング周波数を上げる必要がある。これを容易に実現する方法として、ディスク一周あたりのサーボセクタ領域を増やすことが考えられる。しかし、このようにサーボ情報を増やしてしまうと、記録可能領域においてデータを記録する領域を減らしてしまうことになる。
【００２０】
【発明が解決しようとする課題】
上記したように、高密度記録を行う磁気記録装置では、磁化反転単位が小さくなる。これによって記録媒体の熱擾乱の問題が発生するため、熱擾乱耐性の高い、高磁気異方性エネルギーの磁気記録層の採用が必要になっていた。高磁気異方性エネルギー有する記録層への記録には大きな磁束を発生させる記録ヘッドが必要であるが、材料的な限界が知られている。この限界を考慮すると、高密度記録自体が不可能となるが、記録時に記録媒体の記録層の磁気異方性エネルギーを低下させる熱アシスト磁気記録技術が提案されている。この技術は、記録時に記録媒体を加熱する手法だが、この加熱手段によって形成される熱のスポットの縮小化には限界がある。つまり、高密度記録を行う磁気記録装置で想定される磁化反転単位のサイズより大幅に大きな熱のスポットしか形成できない可能性があり、記録に関係する記録媒体の部分以外の部分、すなわち隣接する記録トラックをも加熱してしまうことが避けられなかった。すなわち、このように記録しない部分を加熱してしまうことによって、その部分の磁気異方性エネルギーが低下してしまうため、熱擾乱によって隣接する記録トラックに記録された信号磁化が消去または劣化してしまう虞があった。
【００２１】
また、高密度記録を行う磁気記録装置では、トラックピッチを狭くすることが不可欠であり、これにトラッキング制御する必要がある。このトラッキング制御の帯域は数ｋＨｚ程度が必要であり、この実現のためには数１０ｋＨｚのサンプリング周波数の実現が不可欠である。しかし、そのためにサーボ情報を増加させると、記録可能な領域において情報を記録するための領域を減らしてしまうという問題があたった。
【００２２】
上記した問題に対し、本発明では、加熱手段によって形成された熱スポットによって、隣接トラックが加熱されて信号が消去されてしまう現象が発生するのを回避することが可能な熱アシスト磁気ヘッド及びそれを用いた熱アシスト磁気記録装置の提供を目的とする。
【００２３】
また、本発明では、高周波のサンプリングを実現して高い帯域の位置決め制御を達成することが可能な熱アシスト磁気記録装置の提供を目的とする。
【００２４】
【課題を解決するための手段】
上記目的を達成するために、回転可能な記録媒体に対向して配置され、該記録媒体を加熱昇温して記録層の保磁力を低下させ、この保磁力が低下した記録層に記録磁界を印加することにより、磁気的情報を記録可能な熱アシスト磁気ヘッドであって、前記記録媒体に対向して配置されるスライダと、このスライダの前記記録媒体との対向面に配置され、かつ前記記録媒体を加熱するための加熱手段から出射されたエネルギー線を前記記録媒体に向けて放出する放出部と、前記スライダの前記対向面において前記放出部の中心部を通り該記録媒体の回転方向に沿った方向に関して対称な位置に配置され、かつ前記記録層に記録磁界を印加する複数の磁気記録素子とを備えたことを特徴とする熱アシスト磁気ヘッドを提供する。
【００２５】
また、本発明では、記録媒体を加熱昇温して記録層の保磁力を低下させ、この保磁力が低下した記録層に記録磁界を印加することにより、磁気的情報を記録する熱アシスト磁気記録装置であって、前記記録媒体を回転可能に保持する駆動手段と、前記記録媒体を加熱するためのエネルギー線を出射する加熱手段と、前記記録媒体に対向して配置されるスライダと、このスライダの前記記録媒体との対向面に配置され、かつ前記加熱手段から出射されたエネルギー線を前記記録媒体に向けて放出する放出部と、前記スライダの記録媒体対向面において前記放出部の中心部を通り該記録媒体の回転方向に沿った方向に関して対称な位置に配置され、かつ前記記録層に記録磁界を印加する複数の磁気記録素子とを備えた熱アシスト磁気ヘッドと、この熱アシスト磁気ヘッドを前記記録媒体上の所定位置に位置決めするための位置決め手段とを備えたことを特徴とする熱アシスト磁気記録装置を提供する。
【００２６】
さらに、本発明では、ディスク状に形成され、同心円状もしくは螺旋状に設けられた複数の記録トラックを備えた記録媒体と、この記録媒体を回転可能に保持する回転駆動手段と、前記記録媒体の記録層の保磁力を低下させるべく該記録媒体を加熱昇温するためのエネルギー線を出射する加熱手段と、前記記録媒体に対向して配置されるスライダと、このスライダの前記記録媒体との対向面に配置され、かつ前記加熱手段から出射されたエネルギー線を前記記録媒体に向けて放出する放出部と、前記スライダの記録媒体対向面において前記放出部の中心部を通り該記録媒体の回転方向に沿った方向に関して対称な位置に配置され、かつ保磁力が低下した前記記録層に記録磁界を印加する複数の磁気記録素子と、この磁気記録素子により記録された磁気的情報を再生するための複数の磁気再生素子とを備えた熱アシスト磁気ヘッドと、この熱アシスト磁気ヘッドを前記記録媒体上の所定位置に位置決めするための位置決め手段とを備えたことを特徴とする熱アシスト磁気記録装置を提供する。
【００２７】
【発明の実施の形態】
以下、本発明の実施の形態について、図面を参照しつつ詳細に説明する。
【００２８】
まず、本発明に係る熱アシスト磁気記録装置の概略について図１を参照しつつ説明する。
【００２９】
図１は、本発明に係る熱アシスト磁気記録装置を示す概略構成図である。
【００３０】
記録媒体１０１はスピンドルモータ１１０に装着され、所定の回転数で回転される。記録媒体を加熱昇温するための加熱手段、記録媒体上において浮上もしくは接触した状態で情報の記録を行う磁気記録素子、及び記録した情報の再生を行う磁気再生素子を搭載したスライダ１０３は、薄膜状のサスペンション１５０の先端にジンバルを介して取り付けられている。なお、スライダ１０３はディスクの両面に設けられ、両面にアクセス可能に構成されることが多い。サスペンション１５０は、駆動コイルを保持するボビン部などを有するアクチュエータアーム１０２の一端に接続されている。一方、アクチュエータアーム１０２の他端には、ボイスコイルモータ１２０が設けられる。このボイスコイルモータ１２０は、前記駆動コイルを挟むように対向して設けられた、永久磁石および対向ヨークからなる磁気回路から構成される。アクチュエータアーム１０２は、軸受け部１３０によって回転可能に支持されており、前記ボイスコイルモータ１２０の駆動によって該アクチュエータアーム１０２が回転し、前記スライダ１０３が記録媒体１０１上の所定位置に位置決めされる構成となっている。
【００３１】
このときの位置決め信号は、記録媒体上のヘッダ領域にあらかじめ磁気記録されたサーボセクタから読み取られる磁気的なサーボ情報を用いて演算されている。図２に記録媒体の記録トラック上におけるサーボ情報の概略構成を示す。記録トラック２００上には各情報記録セクタ２０７の前部にサーボ情報２０１，２０２が設けられている。このサーボ情報としては、図に示すような、磁化方向の異なる信号が記録されており、この信号がスライダに搭載された磁気再生素子２０５によって再生されて、この再生信号２０６から、たとえば再生信号振幅が一定となるようにスライダの位置決めがなされる。なお、ヘッダ領域にはさらにスライダのシーク時におけるトラキングを行うためのサーボ情報２０３，２０４が設けられている。
【００３２】
次に、図３及び図４を用いて、熱アシスト磁気記録における記録原理について説明する。
【００３３】
図３は、記録媒体を構成する記録層の磁気異方性エネルギー密度Ｋｕと温度Ｔとの関係を示すグラフである。記録層は室温付近できわめて高いＫｕを示し、通常の磁気記録素子が発生する磁界では、磁気的な記録が困難である。ところが、温度が上昇すると記録媒体のＫｕは低下し、温度Ｔ１においてＫｕが磁気記録素子の発生する磁界で記録できる値を下回り磁気的な記録が可能となる。この温度は後述するＣｏＰｔの多粒子系媒体の場合、約２５０℃前後である。
【００３４】
さらに温度が高くなると、記録媒体のＫｕはさらに低下し、温度Ｔ２を超えると記録された磁気的情報が熱擾乱によって消失する虞がある。
【００３５】
多粒子系薄膜を用いると、図３に示したように、室温で高いＫｕを示し、記録温度近傍で急峻なＫｕの低下が起こる。このため、室温では外部磁界を与えても記録情報は変化しないが、記録温度ではＫｕが１／１０程度まで低下するため、磁気記録素子からの磁界で容易に磁気的情報を記録できる。また、温度幅が約５０℃の範囲で急峻にＫｕが変化することから、温度が低下した領域では熱擾乱の影響で記録情報が消失する危機を回避できる。
【００３６】
図４は、定常状態での加熱による記録媒体の回転方向に関する磁気異方性エネルギー密度Ｋｕと温度Ｔとの関係を示す概念図である。
【００３７】
加熱手段により記録層が加熱されて温度が上昇し、図４（ａ）に例示したような温度分布が形成される。記録層は図３に示したような温度特性を有するので、この温度分布に応じて図４（ｂ）に示したようにＫｕが局所的に低下する（記録層の保磁力が低下することに相当する）。この低Ｋｕ域内は、磁気記録素子により書込みが可能な領域である。かかる領域内で磁気記録素子から記録磁界を印加すると、記録層上で情報信号に応じた極性反転が生じ磁気的信号が記録トラックに記録される。
［第１の実施形態］
以下、図５を参照しつつ本発明の第１の実施形態について説明する。前述のように、高密度磁気記録装置では、記録層の磁気異方性エネルギーを高くする必要があり、このような記録媒体には容易に記録することができない。この課題を解決するために加熱手段を設ける方法があるが、加熱手段を設けた場合、スライダに複数の磁気記録素子を設けておくと情報の記録時に隣接トラックの情報を消去せずに、トラックピッチを狭くとることができて、高密度記録が可能な熱アシスト磁気記録装置を構成できる。
【００３８】
図５は、本発明に係る熱アシスト磁気ヘッド及び熱アシスト磁気記録装置の第１の実施形態を示す概略構成図である。図５では、記録媒体と熱アシスト磁気ヘッドの一部を示している。
【００３９】
ここで、記録媒体１０は、ガラスや樹脂などからなる基板９の上にＣｏＰｔ、ＳｍＣｏ、ＮｂＣｏなどの強磁性膜、あるいはＴｂＦｅＣｏなどのフェリ磁性膜、連続磁性膜、多粒子磁性膜などが記録層として形成されたディスク状の磁気記録媒体である。また、かかる材質の膜の積層構造で記録層が形成されていても構わない。
【００４０】
この記録媒体上の記録トラックは、同心円状ないしは螺旋状に設けられる。図６に示すように、記録媒体１０上の記録トラック４１は、放射状または特定長を守るように情報記録セクタ（データ領域）４２に分割される。このセクタの前部には、各セクタのアドレス情報など基本的な情報やサーボ情報が記録されたヘッダ領域４３が設けられる。記録媒体への磁気記録は、このヘッダ領域４３のサーボ情報を、第１の磁気再生素子、または第２の磁気再生素子で読み出し、そのサーボ情報にしたがってスライダを位置決めし、光照射によって媒体面を加熱して行われる。このサーボ方式の詳細については後述する。
【００４１】
次に、図５に戻って、熱アシスト磁気ヘッドの構成について説明する。記録媒体１０上を浮上するスライダ１の記録媒体の対向面には加熱手段から出射されるエネルギー線の記録媒体への放出部となる光学的開口部２が設けられている。ここで、加熱方法としては、光照射を仮定し、加熱手段としては例えば発光素子が用いられる。
【００４２】
光学的開口部２の中心部（図１５のＡ点参照）を通り記録媒体１０の回転方向（図中の矢印で示した方向）に沿った方向に関して対称な位置には、それぞれ第１の磁気記録素子３と第２の磁気記録素子４が該光学的開口部２に近接配置され、そのまた近傍にそれぞれの磁気記録素子３，４の位置に対応して第１の磁気再生素子５と第２の磁気再生素子６が設けられている。
【００４３】
磁気記録素子３，４及び磁気再生素子５，６の構成について図７を参照しつつ説明する。ここで、磁気記録素子３，４は垂直記録素子であり、主磁極２５、導電性コイル２６などから構成されている。また、磁気再生素子５，６は、下磁気シールド層２１、絶縁層２２、巨大磁気抵抗効果素子２３、上磁気シールド層２４が順次積層されてなる構造となっている。また、磁気記録素子３，４は、図８に示すようなリング型素子であっても構わない。この場合の磁気記録素子は、下磁極２７、絶縁層２８、導電性のコイル３０、さらに絶縁層２９、そして金属磁性体の上磁極３１などの積層構造で実現されている。なお、磁気記録素子３，４と磁気再生素子５，６の積層構成によっては、磁気再生素子の磁気シールド層は磁気記録素子の磁極と兼用されていても構わない。
【００４４】
各磁気記録素子３，４の主磁極２５の記録媒体対向面での幅は、それぞれ約１００ｎｍ程度以下になるように設けられ、磁気再生素子５、６の記録媒体対向面での幅は、磁気記録素子３，４の主磁極２５の幅よりもやや小さくなるように設定されている。なお、図５において、Ｗで示す方向が記録トラック幅方向である。
【００４５】
図９に記録媒体上のトラックと磁気記録素子３，４及び磁気再生素子５，６の記録媒体対向面における関係を示す。光学的開口部２によって媒体上に形成される記録可能温度の分布は１６のような円形状となり、同時に特に高い温度の分布は１７のように形成される。この記録可能温度分布１６の中に、記録トラック１８，１９が存在し、磁気記録素子３，４によりこの二つのトラックに対して同時に情報の記録が行われる。
【００４６】
このような構成とすることにより、光学的開口部２を介して光照射されて加熱された記録媒体上には記録可能な温度分布１６すなわち熱スポットが形成される。この熱スポットは、二本のトラックの幅とほぼ同等な大きさの直径をもって形成されればよく、第１の磁気記録素子３と第２の磁気記録素子４のそれぞれで記録媒体への記録が同時に行われる。
【００４７】
一方、読み出しは、同様にして第１の磁気再生素子５、または第２の磁気再生素子６で読み出されたサーボ情報にしたがってスライダが目標セクタに位置決めされて、データ領域の情報データが、第１の磁気再生素子５または第２の磁気再生素子６によって、あるいは両素子同時に読み出される。
【００４８】
このような構成とすることによって、少なくとも隣接する記録トラックの情報を消去することなしに、高密度な情報記録が行える。
【００４９】
また、第１の磁気記録素子３と第２の磁気記録素子４で同時に記録を行うため、情報の書き込みレートを早くすることが可能である。また、第１の磁気再生素子および第２の磁気再生素子で同時に情報を読み出すことで、情報の読み出し時の転送レートをあげることができる。
【００５０】
また、図５のような構成で磁気記録素子３，４を配置すれば、光学的開口部２直下の記録トラック間に記録が行われない領域が形成される。これは、記録時に加熱手段により最も高温となる部分に記録を行わないことを意味し、加熱による記録媒体の劣化の影響を受けない情報記録を実現できることになる。磁気記録装置においてはランダムアクセスが行われるため、記録媒体の同一部分が何度も加熱されることになる。したがって、加熱手段により高温に加熱される領域では媒体が劣化しやすく、かかる領域に記憶された情報が失われる虞があるが、本実施形態に係る熱アシスト磁気記録装置においてはかかる虞がなく、装置の長寿命化を図ることができるとともに、高い信頼性を維持することができる。
【００５１】
次に、上記したスライダの位置決めに関するサーボ方式について説明する。記録媒体上では、図６に示したように、サーボ情報が記録されたヘッダ領域４３が、各情報記録セクタ４２と交互に存在する構成となっている。本実施形態では、スライダの位置決めは２トラック同時に行われるので、サーボ情報は隣接する二つの記録トラックの少なくとも一方から得られればよい。例えば、記録トラック４４のヘッダ領域は一周あたり１５０設けられ、もう一方の記録トラック４５のヘッダ領域も一周あたり１５０記録トラック４４のヘッダ領域と交互に設けられれば、サーボ情報が一周あたり３００得られることになり、回転周波数が７０Ｈｚであっても２１ｋＨｚのサンプリング周波数が得られることになる。従来の手法で２１ｋＨＺのサンプリング周波数を得るには、すべてのトラックで３００のヘッダ領域を設ける必要があり、本実施形態の構成とすることで、サーボ情報に必要な領域を半分に低減して、サンプリング周波数を高くとることが可能となる。
【００５２】
また、それぞれのヘッダ領域で得られた再生信号をもとに位置決めサーボ情報を得る過程で、トラック４４からのサーボ情報とトラック４５からのサーボ情報を独立に処理するのではなく、相関を考慮した信号処理をすることで、さらに高精度なサーボを実現することも可能である。
【００５３】
なお、図１０に示すように記録トラック４４と記録トラック４５で一周あたりのサーボセクタの数が異なっていても構わない。例えば、記録トラック４４には一周あたり６０のサーボセクタ、記録トラック４５には一周あたり２４０のサーボセクタが存在するように構成され記録媒体が７０Ｈｚで回転する場合、記録トラック４４からのサーボ情報はサンプリング周波数４．２ｋＨｚ、トラック４５からのサーボ情報はサンプリング周波数１６．８ｋＨｚで得られることになる。このような場合、特に制御的に周波数分離するフィルタを設けることなしに、記録トラック４４からのサーボ情報を用いてスライダを支持するサスペンションを駆動する粗アクチュエータが制御され、記録トラック４５からのサーボ情報で磁気記録再生素子を微小変位させる精アクチュエータを駆動して、精密な位置決めを実現することも可能である。図１１に精アクチュエータを搭載したスライダ１の概略構成を示す。この精アクチュエータは、たとえば圧電素子で構成され、電圧を印加することで、第１の精アクチュエータ１４が伸び、第２の精アクチュエータ１５が縮んで、可動部５２をトラック幅方向に変位させることが可能である。
【００５４】
同様にして、図１２のように、隣接する記録トラック４４には全くヘッダ領域が存在せず、もう一方の記録トラック４５にのみヘッダ領域が存在するように構成することも可能である。
【００５５】
続いて、記録媒体の加熱手段について説明する。本実施形態では、加熱手段として、もっともエネルギー効率のよい、光を用いた加熱手段を採用している。光を用いる場合、光源をどの位置に置くかによって、必要な光源のパワーが増減するが、例えば図１３に示したように、スライダ上に光源となる発光素子（例えばレーザ）１３を設けてもよい。このような構成とする場合、図１４（ａ）に示すように発光素子１３から射出した光が導波路部５０を介して光学的開口部２に照射される。これによって記録媒体１０上には、図１４（ｂ）に示すような、光の強度分布が得られて、記録媒体１０が加熱される。
【００５６】
次に、光学的開口部２の形状と磁気記録素子３，４及び磁気再生素子５，６の配置に関してさらに詳しく説明する。
【００５７】
図１５乃至図１８は、加熱手段の放出部である光学的開口部２の形状と磁気記録素子３，４及び磁気再生素子５，６の配置に関する実施形態を示した模式図である。各図はいずれも、光学的開口部２、磁気記録素子３，４の底面、及び磁気再生素子５，６の底面を記録媒体方向から見た状態を示している。
【００５８】
図１５（ａ），（ｂ）に示すように、長手方向が記録媒体の回転方向に沿った長方形の光学的開口部２が形成される場合、図９に示したように、光学的開口部２の中心部Ａ近傍の光強度がもっとも強くなる。従って、磁気記録素子３，４は、記録時に記録可能温度分布内に位置するように光学的開口部２の中心部Ａに近接して配置する必要がある。そこで、図１５に示すように、光学的開口部２に関して対称な位置に磁気記録素子３，４を配置する。これにより、光強度の強い位置、すなわち比較的温度の高い記録可能温度分布内に磁気記録素子３，４を配置することが可能となり、効率的な磁気記録が実現できる。なお、磁気記録素子３，４は光学的開口部２の中心部Ａよりもトレーリング側（記録媒体の回転方向下流側）に位置しなければならない。図中でＬがリーディング側（記録媒体の回転方向上流側）、Ｔがトレーリング側を示す。ここで、光学的開口部２の中心部Ａから磁気記録素子の中心部Ｂまでの距離Ｄは記録可能温度分布を考慮すると記録トラック幅が１００ｎｍの場合、５０〜３００ｎｍの範囲内であることが望ましい。ここで、距離Ｄが５０ｎｍの場合は、磁気記録素子３，４が光学的開口部２に最も近接配置される場合であり、距離Ｄが３００ｎｍの場合は、磁気記録素子３，４が記録可能温度分布外周近傍にを配置される場合である。なお、記録トラック幅がさらに小さくなる場合には、これに比例して距離Ｄの範囲も小さくすることが望ましい。
【００５９】
また、磁気再生素子５，６は、磁気記録素子３，４に対応して、やはり光学的開口部２に関して対称な位置に配置される。その際、磁気再生素子５，６は図１５（ａ）に示すように、磁気記録素子３，４よりもリーディング側（Ｌ）に設けられてもよいし、図１５（ｂ）に示すように、磁気記録素子３，４よりもトレーリング側（Ｔ）に設けられてもよい。
【００６０】
なお、光学的開口部２は記録媒体の回転方向に沿った方向に関して対象な形状であればよい。従って、図１６（ａ），（ｂ）に示すような略正方形でもよく、図１７（ａ），（ｂ）に示すように、長手方向が記録媒体の回転方向と垂直な方向に沿った長方形でもよい。また、図１８（ａ），（ｂ）に示すような任意の形状でもよい。
【００６１】
また、このとき光学的開口部２は、実際に穴のあいた形状で実現されても構わないし、光を透過する物質が充填されていても構わない。
【００６２】
次に、加熱手段の一部である光学的開口部への光の集光手段について詳細に説明する。既に、スライダに発光素子を設ける一実施形態に関しては、図１３及び図１４を用いて説明した。ここでは、その変形例、並びにその他の実施形態について説明する。
【００６３】
図１９乃至図２３は、加熱手段の一部である光学的開口部への光の集光手段に関する実施形態を示す模式図である。それぞれ、スライダと記録媒体面の断面の模式的に示している。
【００６４】
図１９に示す構成では、発光素子１３からの光をレンズ６１で集光し、スライダ上の光学的開口部２に微小なスポットを形成している。ここで、レンズ６１の代わりに導波路５０を高屈折材料で構成し、その屈折率変化によって微小なスポットを形成するようにしても構わない。
【００６５】
図２０（ａ）に示す構成では、一部位相を遅らせる位相差発生器６２を配置して、光スポットの強度分布を中心が強くなるように変化させるようにしている。例えば、図２０（ｂ）に示すように、位相差発生器６２は円環部６３を有し、この円環部６３を透過した光と円環部６３以外を透過した光が、レーザ光源の波長λの１／２の位相差を発生するようにすれば、集光スポットの光強度分布で、図２０（ｃ）に示すように中心付近の強度を増大させることが可能である。このように構成することで、光利用効率の高い加熱手段を構成することができる。
【００６６】
図２１（ａ）に示す構成では、入射光軸に対してレンズ６４を傾けて配置することで、集光面にコマ収差を発生させて、図２１（ｂ）に示すように光の強度分布６５を制御するようにしている。
【００６７】
図２２（ａ）及び図２３（ａ）のように光路中に回折格子６６を設けて、図２２（ｂ）及び図２３（ｂ）に示すように±１次回折光によって集光面での光強度分布を調整することも可能である。図のように光路でλ／２の位相差を発生させるように回折格子６６を設けて、強度分布を調整し、所望の温度分布を得るようにしてもよい。
【００６８】
このように、最終的に得たいのは熱のスポットであることから、光学的に品位の高い光スポットを実現するよりは、より小さな熱のスポット、あるいは所望の熱スポットを得るように光学系を適宜構成することが可能であり、光学的開口部への光の集光手段を適宜選択することにより、磁気記録素子の配置等との関連で、最適な温度分布を形成することが可能となる。
【００６９】
これまでは加熱手段である発光素子がスライダに搭載された構成について述べたが、スライダ外に発光素子を配置して、媒体面を加熱することも可能である。
【００７０】
図２４乃至図２６は、スライダ１の外部に発光素子を設けて構成した実施形態である。図２４に示す例では、スライダ１の外部に設けられる図示しない発光素子からの光を、やはりスライダ１の外部に設けられた第１の集光手段７１により集光してスライダ１へ導き、さらにスライダ１に設けられた第２の集光手段７２を介して光学的開口部に照射する。図２５に示す例では、スライダ１の外部に設けられる図示しない発光素子からの光を、やはりスライダ１の外部に設けられた導波路７３を介してスライダ１へ導き、さらにスライダ１に設けられた集光手段であるＳＩＬ７４を介して光学的開口部に照射する。図２６に示す例では、記録媒体１０として透明媒体を用い、記録媒体１０のスライダ１が対向して設けられる面と反対側の面に対向して設けられる第１の集光手段を介して記録媒体１０を透過した光が、スライダ１に設けられた反射型の集光手段７６を介して光学的開口部に照射される。
【００７１】
このように、様々な光学的手段によって光学的開口部への光の集光を行うことが可能である。
［第２の実施形態］
本発明に係る熱アシスト磁気ヘッドの第２の実施形態について説明する。
【００７２】
図２７及び図２８は、サーボ情報を専用に再生する磁気再生素子８１をスライダ１に設けた実施形態を示す模式図である。
【００７３】
本実施形態では、図に示すようにサーボ用の磁気再生素子（サーボ情報再生素子）８１が１つと、通常の情報を再生する磁気再生素子を２つ（５，６）、磁気記録素子を２つ（３，４）、及び加熱手段から出射された光の放出部である光学的開口部２をスライダ１に搭載した構成となっている。
【００７４】
図２８（ａ）にスライダの記録媒体との対向面における各素子及び光学的開口部の配置を示す。光学的開口部２に対して対称に磁気記録素子３，４が配置され、それに対応して磁気再生素子５，６が配置される。また、光学的開口部２の中心部を通り前記記録媒体の回転方向に沿って該光学的開口部２に並んでサーボ用磁気再生素子８１が配置される。なお、磁気再生素子５，６及びサーボ情報再生素子８１は、図２８（ｂ）に示すように配置しても構わない。
【００７５】
例えば、図２８（ａ）に示すような配置とすれば、図２９に示すように加熱手段によって高温に加熱される領域にサーボ用の磁気再生素子が設けられ、その両脇に情報の記録再生を行う各素子が配置される構成となる。このような配置とすれば、記録トラックの間に設けられる領域にサーボ情報を記録することができ、記録トラックはデータ領域として利用することができることからフォーマット効率を向上させることが可能となる。
【００７６】
サーボ情報再生素子８１で再生される領域は、上記したように光学的開口部２からの光照射によって記録媒体の温度が最も上がる領域であり、記録媒体が劣化しやすい領域である。そこで、図２９（ｂ）に示すよう、あらかじめこの部分の記録層８２の厚みを厚くするように記録媒体を構成するようにしてもよい。かかる構成では、厚膜領域にサーボ情報が記録されることになるが、サーボライト時には装置外で温度を上げつつ非常に大きな磁界によってサーボ情報を記録する製作法を用いることにより、装置内での加熱程度では磁気サーボ情報が消去されないような構成することも可能である。
【００７７】
また、このサーボ情報が記録される部分のみ記録層の組成を図３０のような温度特性を持つ特殊な組成としてもよい。かかる組成を有する記録層では、光を照射することによって残留磁化が増して、加熱時に限りサーボ情報が取り出せるような構成とすることが可能である。
【００７８】
以上、本発明の実施形態について説明したが、本発明はかかる構成に限定されるものではなく、その趣旨を逸脱しない範囲内で、適宜変更が可能のである。
【００７９】
例えば、磁気記録素子および磁気再生素子は隣接する２本の記録トラックにおいて情報の記録再生を行うような構成となっているが、さらに、素子を設けることにより３本以上の記録トラックにおいて情報の記録・再生を行うようにしてもよい。
【００８０】
また、加熱手段として光照射について説明したが、例えば電子線放出等の他の加熱手段を用いてもよい。なお、電子線放出による加熱を行う場合、スライダに設けられる加熱手段の放出部は電子線放出部（例えば電子ビームが電界放出されるエミッタコーンの先端部）となる。
【００８１】
また、記録媒体及び磁気記録方式も、垂直記録に限定されず、面内記録であってもよい。
【００８２】
また、磁気再生素子は上記した巨大磁気抵抗効果素子を用いるもののみならず、磁気トンネル型磁気抵抗効果素子を用いるものであっても構わない。
【００８３】
【発明の効果】
以上説明したように、本発明によれば、加熱手段から出射されるエネルギー線の放出部に近接して複数の磁気記録素子を設け、加熱によって形成される記録可能温度分布内の記録トラックに記録を行うことにより、隣接トラックが加熱されることによって信号磁化が消去されてしまう現象を回避することが可能となるとともに、高周波のサンプリングを実現することができる。
【００８４】
また、磁気記録素子および磁気再生素子は加熱中心よりずらした位置に複数配置することで、もっとも加熱の影響を受けて劣化しやすい媒体部分は、情報信号の記録に用いずに常に安定な磁気記録・再生を実現できる。
【図面の簡単な説明】
【図１】本発明に係る熱アシスト磁気記録装置を示す概略構成図。
【図２】記録媒体の記録トラック上におけるサーボ情報の概略構成を示す図。
【図３】熱アシスト磁気記録における記録原理の説明図（記録媒体の磁気異方性エネルギー密度Ｋｕと温度Ｔとの関係を示すグラフ）。
【図４】熱アシスト磁気記録における記録原理の説明図（定常状態での加熱による記録媒体の回転方向に関する磁気異方性エネルギー密度Ｋｕと温度Ｔとの関係を示す概念図）。
【図５】本発明に係る熱アシスト磁気ヘッド及び熱アシスト磁気記録装置の第１の実施形態を示す概略構成図。
【図６】記録媒体上の記録トラックの構成を示す模式図。
【図７】磁気記録素子及び磁気再生素子の概略構成図。
【図８】リング型磁気記録素子の概略構成図。
【図９】記録媒体上のトラックと磁気記録素子及び磁気再生素子の記録媒体対向面における関係を示す図。
【図１０】記録媒体上の記録トラックの構成を示す模式図。
【図１１】精アクチュエータを搭載したスライダの概略構成図。
【図１２】記録媒体上の記録トラックの構成を示す模式図。
【図１３】スライダ上に光源となる発光素子を設けた熱アシスト磁気記録装置の概略構成図。
【図１４】スライダ上に光源となる発光素子を設けた熱アシスト磁気ヘッドの概略構成図。
【図１５】光学的開口部の形状と磁気記録素子及び磁気再生素子の配置に関する実施形態を示した模式図。
【図１６】光学的開口部の形状と磁気記録素子及び磁気再生素子の配置に関する実施形態を示した模式図。
【図１７】光学的開口部の形状と磁気記録素子及び磁気再生素子の配置に関する実施形態を示した模式図。
【図１８】光学的開口部の形状と磁気記録素子及び磁気再生素子の配置に関する実施形態を示した模式図。
【図１９】加熱手段の一部である光学的開口部への光の集光手段に関する実施形態を示す模式図。
【図２０】加熱手段の一部である光学的開口部への光の集光手段に関する実施形態を示す模式図。
【図２１】加熱手段の一部である光学的開口部への光の集光手段に関する実施形態を示す模式図。
【図２２】加熱手段の一部である光学的開口部への光の集光手段に関する実施形態を示す模式図。
【図２３】加熱手段の一部である光学的開口部への光の集光手段に関する実施形態を示す模式図。
【図２４】スライダの外部に発光素子を設けて構成した熱アシスト磁気記録装置の概略構成図。
【図２５】スライダの外部に発光素子を設けて構成した熱アシスト磁気記録装置の概略構成図。
【図２６】スライダの外部に発光素子を設けて構成した熱アシスト磁気記録装置の概略構成図。
【図２７】サーボ情報を専用に再生する磁気再生素子をスライダに設けた実施形態を示す模式図。
【図２８】サーボ情報を専用に再生する磁気再生素子をスライダに設けた実施形態を示す模式図。
【図２９】記録媒体上のトラックと磁気記録素子、磁気再生素子及びサーブ情報再生素子の記録媒体対向面における関係を示す図。
【図３０】光を照射することによって残留磁化が増加する記録層の組成の温度特性を示す図。
【符号の説明】
１・・・スライダ
２・・・光学的開口部
３・・・第１の磁気記録素子
４・・・第２の磁気記録素子
５・・・第１の磁気再生素子
６・・・第２の磁気再生素子
９・・・基板
１０・・・記録媒体
１３・・・発光素子
１４・・・第２の微小変位アクチュエータ
１５・・・第１の微小変位アクチュエータ
２１・・・下磁気シールド層
２２・・・絶縁層
２３・・・巨大磁気抵抗効果素子
２４・・・上磁気シールド層
２５・・・主磁極
２６・・・導電性コイル
２７・・・下磁極
２８・・・絶縁層
２９・・・絶縁層
３０・・・導電性のコイル
３１・・・上磁極
４１・・・記録トラック
４２・・・情報記録セクタ
４３・・・ヘッダ領域
５０・・・導波路
５２・・・可動部
６１・・・レンズ
６２・・・位相差発生器
６３・・・円環部
６４・・・集光手段
６５・・・コマ収差の光強度分布
６６・・・回折格子
７１・・・第１の集光手段
７２・・・第２の集光手段
７３・・・導波路
７４・・・ＳＩＬ
７５・・・集光手段
７６・・・反射型の集光手段
８１・・・サーボ信号再生専用素子
１０１・・・記録媒体
１０２・・・アクチュエータアーム
１０３・・・スライダ
１１０・・・スピンドルモータ
１２０・・・磁気回路
１３０・・・軸受け部
１５０・・・サスペンション
【図１】
0003617806.tif 000002
【図２】
0003617806.tif 000003
【図３】
0003617806.tif 000004
【図４】
0003617806.tif 000005
【図５】
0003617806.tif 000006
【図６】
0003617806.tif 000007
【図７】
0003617806.tif 000008
【図８】
0003617806.tif 000009
【図９】
0003617806.tif 000010
【図１０】
0003617806.tif 000011
【図１１】
0003617806.tif 000012
【図１２】
0003617806.tif 000013
【図１３】
0003617806.tif 000014
【図１４】
0003617806.tif 000015
【図１５】
0003617806.tif 000016
【図１６】
0003617806.tif 000017
【図１７】
0003617806.tif 000018
【図１８】
0003617806.tif 000019
【図１９】
0003617806.tif 000020
【図２０】
0003617806.tif 000021
【図２１】
0003617806.tif 000022
【図２２】
0003617806.tif 000023
【図２３】
0003617806.tif 000024
【図２４】
0003617806.tif 000025
【図２５】
0003617806.tif 000026
【図２６】
0003617806.tif 000027
【図２７】
0003617806.tif 000028
【図２８】
0003617806.tif 000029
【図２９】
0003617806.tif 000030
【図３０】
0003617806.tif 000031